(57)【要約】【課題】短時間で衣類等の乾燥を行うことができるとともに、製品毎による排気風量や循環風量のバラツキを小さくすることのできる換気装置を提供する。【解決手段】室内の空気を吸気する吸気口３と、吸気した空気を外へ排気する排気口６と、吸気した空気を前記室内へ戻す吹出口４と、吸気口３から空気を吸引して送風するシロッコファン９と、このシロッコファン９から送風される空気を排気口６へ案内する第１位置と吹出口４へ案内する第２位置とに切り換わるダンパー２０と、吹出口４から吹き出す空気を加熱するＰＴＣヒータ１１とを備え、ダンパー２０が第２位置に切り換わっているとき、シロッコファン９から送風される空気の一部を排気口６へ送り出すことができる開口２３およびサブダンパー３０を設けた。【選択図】  図１
2004340407.tif 000002
【特許請求の範囲】
【請求項１】
室内の空気を吸気する吸気口と、吸気した空気を外へ排気する排気口と、吸気した空気を前記室内へ戻す吹出口と、前記吸気口から空気を吸引して送風する送風手段と、この送風手段から送風される空気を前記排気口へ案内する第１位置と前記吹出口へ案内する第２位置とに切り換わるダンパーと、前記吹出口から吹き出す空気を加熱するヒータとを備えた換気装置であって、
前記ダンパーが第２位置に切り換わっているとき、前記送風手段から送風される空気の一部を前記排気口へ送り出すことが可能な送出手段を設けたことを特徴とする換気装置。
【請求項２】
前記送出手段は、前記ダンパーに設けた開口と、この開口を開閉するサブダンパーと、このサブダンパーを開閉する開閉手段とを備え、
この開閉手段は、予め設定した順序で前記送風手段のオン・オフ動作とダンパーの切換動作とを行うことによってサブダンパーを開閉することを特徴とする請求項１に記載の換気装置。
【請求項３】
前記開閉手段は、サブダンパーを閉成する方向に付勢する付勢部材と、前記サブダンパーを閉成した位置に固定し且つダンパーが第１位置と第２位置との間の所定位置にきたときのみにサブダンパーの固定解除するロック部材とを有し、
前記サブダンパーは、ロック部材による固定が解除された際に前記送風手段の風圧によって前記付勢部材の付勢力に抗して開成し、
この開成したサブダンパーは、前記送風手段が停止した際に前記付勢部材により閉成し、前記ダンパーが所定位置から第１位置または第２位置へ移動するとき、閉成したサブダンパーを前記ロック部材が固定することを特徴とする請求項２に記載の換気装置。
【請求項４】
前記送出手段は、ダンパーが第２位置に位置しているとき前記送風手段から送風される空気の一部を前記排気口へ案内するバイパス風路と、このバイパス風路を開閉するシャッターと、このシャッターを開閉する開閉手段とを備え、
前記シャッターは前記送風手段の送風による風圧によって開成し、
前記開閉手段は、前記ダンパーに設けられるとともに前記シャッターの閉成を維持するための係止爪を有し、
前記シャッターが閉成している際、前記ダンパーが第１位置から第２位置へ移動した後に前記送風手段が動作したとき、前記係止爪がシャッターに係止してこのシャッターの閉成を維持させ、
前記シャッターが前記風圧によって開成している際、前記ダンパーが第１位置から第２位置へ移動したとき、前記係止爪がシャッターに係止せずにシャッターの開成が維持されることを特徴とする請求項１に記載の換気装置。
【発明の詳細な説明】
【０００１】
【発明の属する技術分野】
この発明は、例えば浴室などの室内の換気を行う換気装置に関する。
【０００２】
【従来の技術】
従来から、浴室の空気を吸気する吸気口と、吸気した空気を外へ排気する排気口と、吸気した空気を前記浴室へ戻す吹出口と、前記吸気口から空気を吸気して送風する送風機と、この送風機から送風される空気の送風方向を前記排気口や吹出口に切り換えるダンパーと、前記吹出口から吹き出す空気を加熱するヒータとを備えた浴室用の換気装置が知られている（特許文献１参照）。
【０００３】
かかる換気装置は、換気モードのときダンパーを第１位置に位置して吹出口を閉じるとともに吸気口から吸気した空気を排気口から排気することにより浴室の換気を行うものである。また、暖房モードのときダンパーを第２位置に位置させて排気口を閉じるとともに吸気口から吸気した空気をヒータにより加熱し、この加熱した空気を吹出口から吹き出させて浴室の暖房を行うものである。
【０００４】
ところで、洗濯した衣類を浴室に干して乾かす場合、換気装置を暖房モードにすればよいが、この暖房モードでは、浴室の空気をヒータで加熱して循環させていくだけなので、浴室の湿気を取り除くことができず、このため衣類の乾燥を効率よく行うことができない。
【０００５】
そこで、暖房モードと乾燥モードを交互に繰り返すことによって浴室の湿気を取り除くようにしたものが提案されている。
【０００６】
また、ダンパーを第１位置と第２位置との中間位置に位置させ、浴室の暖房を行いながら吸気口から吸気した空気の一部を排気口から排気させて浴室の湿気を外に排出させることにより浴室の湿気を取り除くようにした換気装置がある。
【０００７】
【特許文献１】
特開平９−１２６５１６号公報（第３頁、図１）
【０００８】
【発明が解決しようとする課題】
しかしながら、前者の場合、換気モードのとき暖房モードで暖めた空気を排気してしまうので、この換気モードの際には浴室を暖めることができず、このため衣類の乾燥に長時間要してしまう。また、暖めた空気を排気してしまうことにより暖房効率が非常に悪いという問題がある。さらに、暖房モードのとき湿気を取り除くことができないので結露してしまう虞がある。
【０００９】
後者の場合、ダンパーの中間位置によって排気口から排気される排気風量や循環される循環風量が決定されるが、ダンパーの部品公差や取り付け誤差等によってダンパーの先端位置が予め設定した設定位置から数ｍｍ（＝Ａ）ずれが生じてしまう。さらに、ダンパーの位置を検知する近接センサーによるダンパーの先端位置のずれが数ｍｍ（＝Ｂ）生じ、合計として設定位置から約±（Ａ＋Ｂ）ｍｍの誤差が生じてしまう。このため、製品毎による排気風量や循環風量のバラツキが大きくなってしまい、乾燥に要する時間が製品毎に大きく異なってしまう。また、ダンパーを中間位置に停止させるため、このダンパー位置が安定せず送風機から送られてくる風によってダンパーがその中間位置で振動し、このためガタツキ音が発生するという問題がある。
【００１０】
この発明の目的は、短時間で衣類等の乾燥を行うことができるとともに、製品毎による排気風量や循環風量のバラツキを小さくすることができ、さらにガタツキ音が発生しない換気装置を提供することにある。
【００１１】
【課題を解決するための手段】
上記目的を達成するため、請求項１の発明は、室内の空気を吸気する吸気口と、吸気した空気を外へ排気する排気口と、吸気した空気を前記室内へ戻す吹出口と、前記吸気口から空気を吸引して送風する送風手段と、この送風手段から送風される空気を前記排気口へ案内する第１位置と前記吹出口へ案内する第２位置とに切り換わるダンパーと、前記吹出口から吹き出す空気を加熱するヒータとを備えた換気装置であって、
前記ダンパーが第２位置に切り換わっているとき、前記送風手段から送風される空気の一部を前記排気口へ送り出すことが可能な送出手段を設けたことを特徴とする。
【００１２】
また、前記室内を乾燥する乾燥モードが設定されているとき、前記ヒータがオンされるとともに前記サブダンパーが開成されることを特徴とする。
【００１３】
請求項２の発明は、前記送出手段は、前記ダンパーに設けた開口と、この開口を開閉するサブダンパーと、このサブダンパーを開閉する開閉手段とを備え、
この開閉手段は、予め設定した順序で前記送風手段のオン・オフ動作とダンパーの切換動作とを行うことによってサブダンパーを開閉することを特徴とする。
【００１４】
請求項３の発明は、前記開閉手段は、サブダンパーを閉成する方向に付勢する付勢部材と、前記サブダンパーを閉成した位置に固定し且つダンパーが第１位置と第２位置との間の所定位置にきたときのみにサブダンパーの固定解除するロック部材とを有し、
前記サブダンパーは、ロック部材による固定が解除された際に前記送風手段の風圧によって前記付勢部材の付勢力に抗して開成し、
この開成したサブダンパーは、前記送風手段が停止した際に前記付勢部材により閉成し、前記ダンパーが所定位置から第１位置または第２位置へ移動するとき、閉成したサブダンパーを前記ロック部材が固定することを特徴とする。
【００１５】
また、前記送出手段は、ダンパーが第２位置に位置しているとき前記送風手段から送風される空気の一部を前記排気口へ案内するバイパス風路と、このバイパス風路を開閉するシャッターとを有していることを特徴とする。
【００１６】
請求項４の発明は、前記送出手段は、ダンパーが第２位置に位置しているとき前記送風手段から送風される空気の一部を前記排気口へ案内するバイパス風路と、このバイパス風路を開閉するシャッターと、このシャッターを開閉する開閉手段とを備え、
前記シャッターは前記送風手段の送風による風圧によって開成し、
前記開閉手段は、前記ダンパーに設けられるとともに前記シャッターの閉成を維持するための係止爪を有し、
前記シャッターが閉成している際、前記ダンパーが第１位置から第２位置へ移動した後に前記送風手段が動作したとき、前記係止爪がシャッターに係止してこのシャッターの閉成を維持させ、
前記シャッターが前記風圧によって開成している際、前記ダンパーが第１位置から第２位置へ移動したとき、前記係止爪がシャッターに係止せずにシャッターの開成が維持されることを特徴とする。
【００１７】
また、前記開閉手段は、予め設定した順序で前記送風手段のオン・オフ動作とダンパーの切換動作とを行うことによってシャッターを開閉することを特徴とする。
【００１８】
【発明の実施の形態】
以下、この発明に係る換気装置の実施の形態を図面に基づいて説明する。
［第１実施形態］
図１に示す浴室用の換気装置１は、浴室（図示せず）の天井Ｔ内に取り付ける本体ケース２を有している。この本体ケース２の下面には、浴室内（図示せず）の空気を吸気する吸気口３と浴室内へ風を吹き出す吹出口４とが設けられている。吹出口４内にはヒータユニット１０が取り付けられており、吹出口４から吹き出す空気をそのヒータユニット１０のＰＴＣヒータ（自己温度制御機能付きヒータ）１１によって暖めるようになっている。ヒータであるＰＴＣヒータ１１は暖房モードや乾燥モードのときに通電される。
【００１９】
本体ケース２の側方には排気口６が設けられており、この排気口６は接続ダクト７およびこの接続ダクト７に接続された排気ダクト８を介して室外に連通されている。本体ケース２内には、吸気口３から空気を吸い込んで吹出口４や排気口６へ送風するシロッコファン（送風手段）９が設けられている。Ｍはシロッコファン９を回転させるモータであり、１２は吸気口３に設けられた吸気グリル、１３は吹出口４に設けられた吹出グリルである。
【００２０】
また、本体ケース２内にはダンパー２０が設けられており、このダンパー２０は実線位置（第２位置）と鎖線位置（第１位置）とに切り換え可能となっている。そして、暖房モードや乾燥モードのときダンパー２０が実線位置に切り換わって吸気口３と吹出口４とが連通される。また、換気モードのときダンパー２０が鎖線位置に切り換わって吸気口３と排気口６とが連通される。
【００２１】
ダンパー２０は、図２および図３に示すように、平面視がほぼ長方形を呈しているとともに上側が凸に緩やかに湾曲したダンパー板２１と、このダンパー板２１の後部（図２において下部）に形成された軸２２とを有している。この軸２２の両端部２２Ａ，２２Ａが本体ケース２の側壁部に回動自在に軸支され、ダンパー２０は軸２２回りに回動するようになっている。
【００２２】
ダンパー２０の下面にはリブ２４が形成され、このリブ２４にはダンパー２０の前後方向に沿って延びたガイド孔２５が形成されている。このガイド孔２５にはカム２６（図１参照）に設けた突起２７が挿入されており、カム２６は図示しない電動室に設けたダンパー用モータ（図示せず）によって軸２８回り（時計回り）に回転していくようになっている。そして、このカム２６の回転によってダンパー２０が軸２２回りに回動する。
【００２３】
また、ダンパー板２１には開口２３が形成され、この開口２３を開閉するサブダンパー３０がダンパー板２１の裏面（図３において上面）２１Ａに取り付けられている。サブダンパー３０は、開口２３を閉塞する板部３１と、この板部３１の上部（図２において）に設けられた一対の軸部３２，３２とを有している。そして、開口２３とサブダンパー３０とでシロッコファン９から送風される空気の一部を排気口６へ送り出すことが可能な送出手段が構成される。
【００２４】
軸部３２，３２の端部はダンパー板２１の裏面２１Ａに設けた一対の軸受部３３，３３に回動自在に軸支され、サブダンパー３０は軸部３２，３２回りに回動するようになっている。そして、サブダンパー３０は一方の軸部３２に設けた捻れコイル（付勢部材）３４により開口２３を閉塞（閉成）する方向（図３において時計回り）に付勢されている。捻れコイル３４の付勢力は小さく設定され、サブダンパー３０はシロッコファン９から送風される空気の風圧によって捻れコイル３４の付勢力に抗して回動できるようになっている。
【００２５】
また、サブダンパー３０の板部３１の両側部には凹部３５，３５が形成され、この凹部３５，３５に対向するようにガイド部材３６，３６がダンパー板２１の裏面２１Ａに設けられている。各ガイド部材３６の内側面には図４に示すように左右方向に延びたガイド溝３６Ａが形成されている。このガイド溝３６Ａには、後述するロック部材４０のピン４１の一端部４１Ａが挿入され、ピン４１はガイド溝３６Ａに沿って移動可能となっている。
【００２６】
ロック部材４０は、本体ケース２の側壁部に回動自在に軸支されるとともにダンパー２０の軸２２の上方に位置する軸部４２と、この軸部４２から上方（図２において）に延びた一対のアーム４３，４３とを有し、アーム４３，４３の先端部には左右方向（図２において）に延びたピン４１，４１が設けられている。このピン４１，４１の他端部４１Ｂ，４１Ｂがサブダンパー３０の板部３１の裏面３１Ａに当接してサブダンパー３０の板部３１を押さえている。この押さえによりサブダンパー３０は図３に示す位置に固定（ロック）され、このサブダンパー３０によりダンパー２０の開口２３が閉塞されている。
【００２７】
各ピン４１の太さは、図５に示すように、サブダンパー３０の凹部３５の長さＬ１より小さく設定され、またサブダンパー３０の板部３１の裏面３１Ａに当接しているピン４１の他端部４１Ｂの長さＬ２は凹部３５の幅Ｗより小さく設定されている。
【００２８】
そして、ダンパー２０が軸２２回りに回動すると、ガイド部材３６のガイド溝３６Ａにアーム４３のピン４１の一端部４１Ａが挿入されていることにより、ロック部材４０はその回動とともに軸部４２回りに回動していく。ロック部材４０の回動支点とダンパー２０の回動支点とがずれていることにより、ダンパー２０が軸２２を中心にして図３の位置から反時計回りに回動していくと、この回動とともにロック部材４０のピン４１がガイド部材３６のガイド溝３６Ａに沿ってガイド溝３６Ａの下端側（図３において）に移動していく。そして、ダンパー２０が所定角度回動すると、ロック部材４０のピン４１がサブダンパー３０の凹部３５の位置に位置し、そのピン４１によるサブダンパー３０の板部３１の押さえが解除されるようになっている。
【００２９】
すなわち、ロック部材４０によるサブダンパー３０の固定は解除され、サブダンパー３０は、捻れコイル３４の付勢力に抗して軸部３２，３２回りに回動可能となる。そして、捻れコイル３４とロック部材４０とでサブダンパー３０を開閉する開閉手段が構成される。
【００３０】
［動  作］
次に、上記のように構成される換気装置１の動作について説明する。
【００３１】
換気装置１が停止されているとき、ダンパー２０は実線位置に位置され、サブダンパー３０はロック部材４０のピン４１により図３に示す位置に固定され、ダンパー２０の開口２３はサブダンパー３０により閉塞されている。
【００３２】
いま、図示しない操作部の操作により乾燥モードが設定されると、ダンパー用モータが駆動されてカム２６が軸２８を中心にして時計回りに回転し、このカム２６の回転によってダンパー２０が軸２２を中心にして反時計回りに回動していく。そして、ダンパー２０が図１に示す鎖線位置、すなわち図６に示す位置まで回動する。
【００３３】
そして、さらにダンパー用モータの駆動によりカム２６が軸２８を中心にして時計回りに回転していくと、ダンパー２０が図６に示す位置から時計回りに回動していくとともに、モータＭが駆動されてシロッコファン９が回転され、シロッコファン９の回転により浴室の空気が吸気口３へ吸い込まれて矢印方向へ送風されていく。また、ヒータユニット１０のＰＴＣヒータ１１が通電される。
【００３４】
ダンパー２０が図７および図８に示す位置に到達すると、ロック部材４０のピン４１がサブダンパー３０の凹部３５の位置に位置し、そのピン４１によるサブダンパー３０の板部３１の押さえ、すなわちサブダンパー３０の固定が解除される。
【００３５】
一方、シロッコファン９の回転により矢印方向へ空気が送風されているので、サブダンパー３０は風圧によって捻れコイル３４の付勢力に抗して軸部３２，３２を中心にして反時計回りに回動し、この回動の際ロック部材４０のピン４１，４１の他端部４１Ｂ，４１Ｂがサブダンパー３０の凹部３５，３５内を通過していき、そして図９および図１０に示すように、サブダンパー３０の先端部がロック部材４０の上側に移動する。これにより、ダンパー２０の開口２３は開成される。この状態で、ダンパー２０はさらに時計回りに回動していき、図１１に示す位置に停止される。
【００３６】
シロッコファン９から送風される浴室の空気は、ダンパー２０によって吹出口４へ案内されて、その吹出口４から浴室へ吹き出していく。この吹出口４から吹き出す空気はＰＴＣヒータ１１によって暖められていき、浴室が暖められていくことになる。
【００３７】
他方、シロッコファン９から送風される浴室の空気の一部は、ダンパー２０の開口２３から排気口６，接続ダクト７および排気ダクト８を介して室外に排気されていく。この排気により浴室の湿気が室外に排気されるので、浴室は効率よく乾燥していき、浴室に例えば洗濯物を干しておけばその洗濯物を短時間で乾燥させることができる。
【００３８】
この乾燥モードから暖房モードに切り換わると、モータＭの駆動が停止されてシロッコファン９の回転が停止される。このシロッコファン９の回転の停止により矢印方向の送風が停止するので、サブダンパー３０は捻れコイル３４の付勢力により軸３２を中心にして時計回りに回動して、サブダンパー３０の両側縁部が図１２に示すようにロック部材４０のピン４１，４１に係合する。
【００３９】
そして、上記と同様にしてダンパー用モータが駆動されてダンパー２０が軸２２を中心にして反時計回りに回動していき、ダンパー２０が図９に示す位置に到達すると、ロック部材４０のピン４１，４１がサブダンパー３０の凹部３５，３５の位置に位置する。サブダンパー３０は捻れコイル３４によって軸２２を中心に時計回りに付勢されていることにより、サブダンパー３０は軸２２を中心に時計回りに回動していくとともに、ロック部材４０のピン４１，４１の他端部４１Ｂ，４１Ｂがサブダンパー３０の凹部３５，３５内を通過していく。そして、サブダンパー３０は、図７および図８に示すように、ロック部材４０のピン４１，４１の下側位置へ移動し、ダンパー２０の開口２３がサブダンパー３０により閉塞される。
【００４０】
この状態で、さらにダンパー２０が反時計回りに回動していくと、サブダンパー３０の板部３１の裏面（図７および図８において上面）３１Ａにロック部材４０のピン４１，４１が当接して、サブダンパー３０がそのピン４１，４１によってダンパー２０に固定される。換言すれば、サブダンパー３０はロック部材４０によりダンパー２０に固定され、開口２３の閉塞が固定されることになる。そして、ダンパー２０が図６に示す位置へ移動されると、ダンパー２０は時計回りに回動されて図１の実線位置へ停止される。
【００４１】
ダンパー２０が図１の実線位置に停止されると、モータＭが駆動されてシロッコファン９が回転していき、浴室の空気が吸気口３へ吸い込まれていく。この吸い込まれた空気は矢印方向へ送風され、この送風される空気はダンパー２０によって吹出口４へ案内されて、その吹出口４から浴室へ吹き出していく。この吹出口４から吹き出す空気はＰＴＣヒータ１１によって暖められていき、浴室の暖房が行われることになる。
【００４２】
この際、サブダンパー３０はロック部材４０によりダンパー２０に固定されているので、風圧によって開成してしまうことはない。
【００４３】
暖房モードから換気モードに切り換わると、モータＭの駆動が停止されてシロッコファン９の回転が停止されるとともにＰＴＣヒータ１１の通電が停止される。そして、ダンパー用モータが駆動されてダンパー２０が図６に示す位置まで回動される。ダンパー２０が図６に示す位置まで回動すると、ダンパー用モータの駆動が停止されるとともにモータＭが駆動されてシロッコファン９が回転していき、浴室の空気が吸気口３へ吸い込まれていく。この吸い込まれた空気は矢印方向へ送風され、この送風される空気は排気口６，接続ダクト７および排気ダクト８（図１参照）を介して室外に排気されていき、浴室の換気が行われる。
【００４４】
換気モードから暖房モードに切り換わると、シロッコファン９の回転が停止されてダンパー用モータが駆動される。このダンパー用モータの駆動により、ダンパー２０は図６に示す位置から図１の実線位置まで回動される。この回動の途中で、ダンパー２０は図７および図８に示す位置を通過するが、シロッコファン９の回転が停止されているとともに捻れコイル３４の付勢力により、サブダンパー３０はダンパー２０の開口２３を閉成したままである。
【００４５】
ダンパー２０が図１の鎖線位置に到達すると、ダンパー用モータの駆動が停止され、モータＭが駆動されるととももにＰＴＣヒータ１１が通電される。そして、上記と同様にして浴室の暖房が行われる。
【００４６】
また、換気モードから乾燥モードに切り換わった場合には、シロッコファン９の回転が停止されずに、ダンパー２０が図６に示す位置から図１１に示す位置へ回動される。そして、その回動の途中でダンパー２０が図７および図８に示す位置に到達した際に、上記と同様にしてサブダンパー３０が開成する。
【００４７】
このように、サブダンパー３０の開成に専用のモータを必要としないので、換気装置１の小型軽量化を図ることができる。
【００４８】
また、乾燥モードの際、ダンパー２０を排気口６を閉塞する位置に停止させてサブダンパー３０を開成させているので、排気口６から排気される排気風量や吹出口４から吹き出す循環風量は、ダンパー２０の開口２３の大きさで決定されることになる。このため、製品毎による排気風量や循環風量のバラツキを小さくすることができる。さらに、ダンパー２０は第１位置と第２位置との中間位置に停止されないので、ダンパー２０の先端で発生する風切り音やダンパー２０の振動によるバタツキ音が発生せず、このため、乾燥モードの運転中であっても静かなものとなる。
［第２実施形態］
図１３は第２実施形態の換気装置１００を示したものであり、この換気装置１００は、第１実施形態と同様に図示しない浴室の天井内（図示せず）に取り付ける本体ケース１０２を有している。この本体ケース１０２の下面には、浴室内（図示せず）の空気を吸気する吸気口１０３と浴室内へ風を吹き出す吹出口１０４とが設けられている。吹出口１０４内にはヒータユニット１１０が取り付けられており、吹出口１０４から吹き出す空気をそのヒータユニット１１０のＰＴＣヒータ（ヒータ）１１１によって暖めるようになっている。ＰＴＣヒータ１１１は暖房モードや乾燥モードのときに通電される。
【００４９】
本体ケース１０２の側方には排気口１０６が設けられており、この排気口１０６は接続ダクト１０７に接続された図示しない排気ダクトを介して室外に連通されている。本体ケース１０２は、シロッコファン（送風手段）１０９を収納したシロッコファン室１１５と、ダンパー１２０を収納したダンパー室１１６とを有している。シロッコファン１０９は回転して吸気口１０３から空気を吸い込み、この吸い込んだ空気を吹出口１０４や排気口１０６へ送風するようになっている。Ｍ１はシロッコファン１０９を回転させるモータであり、１１２は吸気口１０３に設けられた吸気グリル、１１３は吹出口１０４に設けられた吹出グリルである。
【００５０】
ダンパー１２０は図１３に示す位置（第２位置）と図１４に示す位置（第１位置）とに切り換え可能となっている。ダンパー１２０の切り換えは図示しないモータによって行われる。そして、暖房モードや乾燥モードのときダンパー１２０が図１３の実線位置に切り換わって吸気口１０３と吹出口１０４とが連通され、換気モードのときダンパー１２０が図１４に示す実線位置に切り換わって吸気口１１３と排気口１０６とが連通される。
【００５１】
ダンパー室１１６の天板１１６Ａと、図１３の実線位置にあるダンパー１２０の先端部１２０Ａとの間は、所定の大きさの間隙１１７が形成されており、この間隙１１７がシロッコファン１０９から送風される空気の一部を排気口１０６へ案内するバイパス風路となっている。
【００５２】
バイパス風路１１７には、図１５および図１６に示すように、そのバイパス風路１１７を開閉するシャッター１３０が配置されており、このシャッター１３０の上部には軸部１３１が設けられている。この軸部１３１の両端部がダンパー室１１６の側壁部に回動自在に軸支され、シャッター１３０は軸部１３１回りに回動することによりバイパス風路１１７を開閉する。また、バイパス風路１１７にはストッパ１３２が設けられており、このストッパ１３２によりシャッター１３０が図１３の位置から反時計回りに回動しないようになっている。そして、バイパス風路１１７とシャッター１３０とでシロッコファン１０９から送風される空気の一部を排気口１０６へ送り出すことが可能な送出手段を構成する。
【００５３】
また、図１７に示すようにダンパー１２０の先端部の近傍の上面１２０ｂには幅方向に延びる突条部（係止爪）１２１が形成されており、この突条部１２１の前面１２１Ａがその上面１２０ｂから起立した平面状の当接面となっている。また、突条部１２１の後面１２１Ｂは、ダンパー１２０が図２０に示す位置に位置しているとき、風路損が小さくなるように傾斜面となっている。ダンパー１２０の後部には図１７に示すように軸部１２２が形成され、この軸部１２２がダンパー室１１６の側壁に回動自在に軸支され、ダンパー１２０は軸部１２２回りに回動するようになっている。
【００５４】
そして、シャッター１３０が図１８に示す破線位置へ回動した際にシャッター１３０の下端部１３０Ａがその突条部１２１の当接面１２１Ａに当接してバイパス風路１１７を閉成するようになっている。また、シャッター１３０が図１３および図１６の実線位置に位置しているとき、ダンパー１２０が軸部１２２を中心にして時計回りに回動できるように、すなわち、ダンパー１２０が図１９に示す破線位置から実線位置へ回動する際に突条部１２１がシャッター１３０に当接しないように突条部１２１の高さや位置が設定されている。
［動  作］
次に、第２実施形態の換気装置１００の動作について説明する。
【００５５】
換気装置１００が停止されているとき、ダンパー１２０は図１３に示す位置（第２位置）に位置され、ダンパー室１１６のバイパス風路１１７がシャッター１３０により閉成されている。
【００５６】
そして、図示しない操作部の操作により乾燥モードが設定されると、ダンパー用のモータが駆動されてダンパー１２０が図１３に示す位置から図２０に示す位置（第１位置）へ切り換えられる。ダンパー１２０が第１位置へ切り換えられると、ダンパー用のモータの駆動が停止されるとともにモータＭ１が駆動されてシロッコファン１０９が回転され、シロッコファン１０９の回転により浴室の空気が吸気口１０３へ吸い込まれて矢印方向へ送風される。
【００５７】
この送風の風圧によってシャッター１３０は軸部１３１を中心にして時計回りに回動し、バイパス風路１１７が開成される。そして、再度ダンパー用のモータが駆動されてダンパー１２０が図２０に示す位置から図２１に示す第２位置へ切り換えられるとともに、ヒータユニット１１０のＰＴＣヒータ１１１が通電される。
【００５８】
ダンパー１２０が図２１に示す第２位置へ切り換えられた際、ダンパー１２０の先端部１２０Ａはストッパ１３２の下部に当接してダンパー１２０は所定位置（第２位置）に確実に切り換えられることになる。
【００５９】
ところで、シャッター１３０は風圧によって図２１および図２２に示す位置に回動されているので、ダンパー１２０が第２位置に切り換えられてもシャッター１３０はバイパス風路１１７を開成したままである。
【００６０】
そして、ダンパー１２０が第２位置に位置していることにより、シロッコファン１０９によって矢印方向へ送風される空気はダンパー１２０によって吹出口１０４へ案内されて、その吹出口１０４から浴室へ吹き出していく。この吹出口１０４から吹き出す空気はＰＴＣヒータ１１１によって暖められていき、浴室の暖房が行われることになる。
【００６１】
また、シャッター１３０はバイパス風路１１７を開成しているので、シロッコファン１０９から送風される浴室の空気の一部は、バイパス風路１１７を通って排気口１０６および接続ダクト１０７に接続された排気ダクトを介して室外に排気されていく。この排気により浴室の湿気が室外に排気されるので、浴室は効率よく乾燥していき、浴室に例えば洗濯物を干しておけばその洗濯物を短時間で乾燥させることができる。
【００６２】
この乾燥モードから暖房モードに切り換わると、モータＭ１の駆動が停止されてシロッコファン９の回転が停止される。このシロッコファン９の回転の停止によりシャッター１３０は自重により図１４に示す位置に位置し、バイパス風路１１７を閉塞する位置に位置することになる。
【００６３】
そして、ダンパー用のモータが駆動されてダンパー１２０が図１４に示す第１位置に切り換えられる。この後、ダンパー１２０が図１４に示す第１位置から図１３に示す第２位置へ切り換えられる。この際、シャッター１３０はバイパス風路１１７を閉塞する位置に位置しているので、図１６に示すように、ダンパー１２０の突条部１３１はシャッター１３０の下端部（先端部）１３０Ａの左側に位置することになる。
【００６４】
ダンパー１２０が第２位置に切り換わると、モータＭ１が駆動されてシロッコファン１０９が回転され、シロッコファン１０９の回転により浴室の空気が吸気口１０３へ吸い込まれて矢印方向へ送風されていく。この送風される空気はダンパー１２０によって吹出口１０４へ案内されて、その吹出口１０４から浴室へ吹き出していく。この吹出口１０４から吹き出す空気はＰＴＣヒータ１１１によって暖められていき、浴室の暖房が行われることになる。
【００６５】
また、シロッコファン１０９の回転による送風の風圧によってシャッター１３０は軸部１３１を中心にして時計回りに回動して、図１８の破線で示すように、シャッター１３０の下端部１３０Ａがダンパー１２０の突条部１２１の前面である当接面１２１Ａに当接してバイパス風路１１７を閉成するので、シロッコファン１０９から送風される空気の一部がバイパス風路１１７を通って排気口１０６へ流れてしまうことはなく、このため浴室の暖房を効率よく行うことができる。
【００６６】
乾燥モードや暖房モードから換気モードに切り換わると、ＰＴＣヒータ１１１の通電が停止されるとともにダンパー用のモータが駆動される。このダンパー用のモータの駆動によりダンパー１２０が図１３または図２１に示す第２位置から図２０に示す第１位置に切り換えられる。ダンパー１２０が第１位置に切り換えられると、シロッコファン１０９によって送風される空気は排気口１０６および接続ダクト１０７に接続された排気ダクト（図示せず）を介して室外に排気されていき、浴室の換気が行われる。
【００６７】
この換気モードから乾燥モードや暖房モードに切り換わると、ＰＴＣヒータ１１１が通電されるとともにダンパー用のモータが駆動されて、ダンパー１２０が図２０の第１位置から図１３に示す第２位置へ切り換えられることにより行われる。この場合、乾燥モードのときにはモータＭ１は駆動されたままダンパー１２０が第２位置へ切り換えることによりシャッター１３０は開成され、暖房モードのときにはモータＭ１の駆動は停止されてダンパー１２０が第２位置へ切り換えられることによりシャッター１３０は閉成する。
【００６８】
このように、シャッター１３０の開成に専用のモータを必要としないので、換気装置１００の小型軽量化を図ることができる。
【００６９】
また、乾燥モードの際、ダンパー１２０を排気口１０６を閉塞する第２位置に停止させてシャッター１３０を開成させているので、排気口１０６から排気される排気風量や吹出口１０４から吹き出す循環風量は、バイパス風路１１７の断面積で決定されることになる。このため、製品毎による排気風量や循環風量のバラツキを小さくすることができる。さらに、ダンパー１２０が第１位置と第２位置との中間位置に停止しないので、ダンパー１２０の先端で発生する風切り音やダンパー１２０の振動によるバタツキ音が発生せず、このため、乾燥モードの運転中であっても静かなものとなる。
【００７０】
第１，第２実施形態のいずれも換気装置１，１００は浴室用のものについて説明したが、かならずしも浴室用である必要はなく、浴室以外の部屋を換気する換気装置であってもよい。
【００７１】
【発明の効果】
以上説明したように、この発明によれば、短時間で衣類等の乾燥を行うことができるとともに製品毎による排気風量や循環風量のバラツキを小さくすることができるとともに、ダンパーのバタツキ音を抑制することができる。
【図面の簡単な説明】
【図１】この発明に係る浴室用の換気装置の構成を示した断面図である。
【図２】図１に示す換気装置のダンパーを示した平面図である。
【図３】図２に示すダンパーの構成を示した断面図である。
【図４】ガイド部材とロック部材との関係を示した説明図である。
【図５】図２に示すダンパーの一部を拡大した部分拡大図である。
【図６】ダンパーが第１位置に位置している状態を示した説明図である。
【図７】ダンパーが所定角度へ回動した状態を示した説明図である。
【図８】ダンパーが所定角度へ回動した際のサブダンパーとロック部材との位置関係を示した説明図である。
【図９】ロック部材によるサブダンパーのロックが解除された状態を示した説明図である。
【図１０】サブダンパーのロックが解除された際のサブダンパーとロック部材との位置関係を示した説明図である。
【図１１】サブダンパーのロックが解除されたダンパーが第２位置へ移動した状態を示した説明図である。
【図１２】シロッコファンの回転が停止した際のサブダンパーの状態を示した説明図である。
【図１３】第２実施形態の換気装置の構成を示した断面図である。
【図１４】図１２の換気装置のダンパーが第１位置に切り換わった状態を示した断面図である。
【図１５】ストッパとシャッターとを示した説明図である。
【図１６】シャッターとダンパーの位置関係を示した説明図である。
【図１７】ダンパーを示した斜視図である。
【図１８】図１６に示すシャッターが回動してパイパス風路が閉成されることを示した説明図である。
【図１９】ダンパーが回動できることを示す説明図である。
【図２０】ダンパーが第１位置へ切り換えられてシロッコファンが回転された状態を示した説明図である。
【図２１】シロッコファンを回転したままダンパーを第２位置へ切り換えた状態を示した説明図である。
【図２２】シャッターが開成している状態を示した説明図である。
【符号の説明】
３                吸気口
４                吹出口
６                排気口
９                シロッコファン（送風手段）
１１            ヒータ（ＰＴＣヒータ）
２０            ダンパー
２３            開口
３０            サブダンパー
【図１】
2004340407.tif 000003
【図２】
2004340407.tif 000004
【図３】
2004340407.tif 000005
【図４】
2004340407.tif 000006
【図５】
2004340407.tif 000007
【図６】
2004340407.tif 000008
【図７】
2004340407.tif 000009
【図８】
2004340407.tif 000010
【図９】
2004340407.tif 000011
【図１０】
2004340407.tif 000012
【図１１】
2004340407.tif 000013
【図１２】
2004340407.tif 000014
【図１３】
2004340407.tif 000015
【図１４】
2004340407.tif 000016
【図１５】
2004340407.tif 000017
【図１６】
2004340407.tif 000018
【図１７】
2004340407.tif 000019
【図１８】
2004340407.tif 000020
【図１９】
2004340407.tif 000021
【図２０】
2004340407.tif 000022
【図２１】
2004340407.tif 000023
【図２２】
2004340407.tif 000024